(57)【特許請求の範囲】
【請求項１】
ウェットティッシュを折り返すことによって形成され、端部の間に第１の片、第２の片と第３の片を有するとともに、第２の片に対して第１の片と第３の片が逆方向に折り返されている第１のウェットティッシュと、
ウェットティッシュを折り返すことによって形成され、端部の間に第４の片と第５の片を有する第２のウェットティッシュを備え、
第２のウェットティッシュの第４の片と第５の片それぞれが、当該第２のウェットティッシュに対して積み重ね方向の一方側に隣接して配置される第１のウェットティッシュの第２の片と第３の片との間と、積み重ね方向の他方側に隣接して配置される第1のウェットティッシュの第１の片と第２の片との間に挿入されるように、前記第１のウェットティッシュと前記第１のウェットティッシュが交互に積み重ねられるシート積み重ね体であって、
前記第１のウェットティッシュおよび前記第２のウェットティッシュの片のうち、積み重ね方向のいずれか一方側の片の端部側が折り返されて補助片が形成されており、積み重ね方向に隣接する補助片が、積み重ね方向に重ならないように構成されていることを特徴とするシート積み重ね体。
【請求項２】
請求項１に記載のシート積み重ね体であって、
前記第１のウェットティシュは、折り返し線に直角な方向から見て、一方側の端部と他方側の端部の位置関係が交互に逆となるように配置され、
前記第２のウェットティシュは、折り返し線に直角な方向から見て、一方側の端部と他方側の端部の位置関係が交互に逆となるように配置されていることを特徴とするシート積み重ね体。
【請求項３】
取り出し口が形成されたケースと、前記ケース内に収容され、複数のウェットティッシュが積み重ねられたシート積み重ね体を備え、前記ケースの取り出し口から前記シート積み重ね体を構成するウェットティッシュが順次取り出されるシート収納装置であって、
前記シート積み重ね体として請求項１または２に記載のシート積み重ね体が用いられていることを特徴とするシート収納装置。
【発明の詳細な説明】
【技術分野】
【０００１】
本発明は、複数のシートを積み重ねてシート積み重ね体を構成する技術に関する。
【背景技術】
【０００２】
皮膚等に付着した汚れを落とすために、ウェットティッシュ等の種々のシートが用いられている。ウェットティッシュを折り返したシート積み重ね体と、シート積み重ね体を収容するケースを備えるシート収容装置が、例えば、特許文献に記載されている。
【特許文献１】特開平６−２３７７４号公報
【発明の開示】
【発明が解決しようとする課題】
【０００３】
通常、シートの一部が重なった状態（ラップさせた状態）でシートが積み重ねられている。これにより、シート積み重ね体の最上部に積み重ねられているシートをケースの取り出し口から取り出すと、当該シートと、当該シートに隣接して積み重ねられているシートとの間の摩擦力等によって、当該シートに隣接して積み重ねられているシート（次に取り出されるシート）の一部が取り出し口から飛び出した状態となる。したがって、シートを順次連続して取り出すことができる。シート間の摩擦力等は、シートの材料やシート間の接触面積等によって決定される。
ここで、ウェットティッシュは、含浸液が含浸された状態（湿潤状態）で使用されるため、シート間の摩擦力が大きい。シート間の摩擦力が大きいと、シート積み重ね体の最上部に積み重ねられているシートをケースの取り出し口から取り出す際に、当該シートの次に取り出されるシートだけでなく、さらに次に取り出されるシートの一部も取り出し口から飛び出してしまう虞がある。
シート間の摩擦力を小さくしてケースの取り出し口から複数のシートの一部が飛び出すのを防止する方法としては、シート間の重なり領域（接触面積）を低減する方法が考えられる。また、シート間の接触面積を簡単に低減する方法としては、シート間の重なり幅（ラップしろ）を調整する方法を用いることができる。しかしながら、前記した従来のシート積み重ね体では、シート間の重なり幅を低減するためには、隣接して積み重ねられるシートを幅方向に離す必要がある。この場合、シート積み重ね体、したがって、シート収容装置の幅寸法が大きくなり、使い勝手がよくないものとなる。
本発明は、このような点に鑑みて創案されたものであり、シート積み重ね体の幅寸法を広げることなく、隣接して積み重ねられるシート間の接触面積を小さくすることができる技術を提供する。
【課題を解決するための手段】
【０００４】
一つの発明は、ウェットティッシュを折り返すことによって形成される第１のウェットティッシュと第２のウェットティッシュを積み重ねて構成されるシート積み重ね体に関する。ウェットティッシュとしては、典型的には、長方形や正方向の形状を有するウェットティッシュが用いられる。第１のウェットティッシュは、端部の間に第１の片、第２の片と第３の片を有するとともに、第２の片に対して第１の片と第３の片が逆方向に折り返されている。第１のウェットティッシュとしては、典型的には、幅方向（折り返し線に直角な方向）から見て、Ｚ字型に形成されたシート体が用いられる。また、第２のウェットティッシュとしては、端部の間に第４の片と第５の片を有するウェットティッシュが用いられる。第２のウェットティッシュとしては、典型的には、幅方向（折り返し線に直角な方向）から見て、Ｖ字型に形成されたウェットティッシュが用いられる。第２のウェットティッシュの第４の片と第５の片それぞれが、当該第２のウェットティッシュに対して積み重ね方向の一方側に隣接して配置される第１のウェットティッシュの第２の片と第３の片との間と、積み重ね方向の他方側に隣接して配置される第１のウェットティッシュの第１の片と第２の片との間に挿入されるように、第１のウェットティッシュと第２のウェットティッシュが交互に積み重ねられる。第１のウェットティッシュと第２のウェットティッシュは、シート積み重ね体の一方側（取り出し口側）の端部から第１のウェットティッシュおよび第２のウェットティッシュを順次連続して取り出し可能な種々の態様で積み重ねられる。そして、第１のウェットティッシュおよび第２のウェットティッシュの、積み重ね方向のいずれか一方側の片の端部側が折り返されて補助片が形成されている。補助片の位置や形状は、補助片の形成によって、隣接するウェットティッシュ間の重なり領域を小さくすることができればよく、適宜の位置や形状を設定することができる。
また、積み重ね方向に隣接するウェットティッシュの補助片が、積み重ね方向に重ならないように構成されている。例えば、第１のウェットティッシュの補助片と、当該第１のウェットティッシュに隣接して積み重ねられる第２のウェットティッシュの補助片が積み重ね方向に重ならないように構成される。積み重ね方向に隣接するウェットティッシュの補助片が積み重ね方向に重ならないように構成する態様としては、例えば、第１のウェットティッシュおよび第２のウェットティッシュの形状や、補助片の形成位置や形状（幅寸法等）を調整する態様が用いられる。
【０００５】
本発明では、補助片の幅寸法を調整することにより、隣接するウェットティッシュ間の重なり領域の重なり幅を調整することができる。これにより、隣接するウェットティッシュ間の摩擦力を適切な値に抑えることができ、ウェットティッシュを安定して取り出すことができる。特に、シート積み重ね体の幅寸法より２倍以上の幅寸法を有するシートを積み重ねる場合に有効である。
また、積み重ね方向に隣接するウェットティッシュの補助片が積み重ね方向に重ならないため、シート積み重ね体が部分的に嵩高になるのをより効果的に防止することができる。なお、積み重ね方向に隣接する第１のウェットティッシュの補助片と第２のウェットティッシュの補助片が積み重ね方向に重ならないように、また、積み重ね方向に隣接する第１のウェットティッシュの補助片が積み重ね方向に重ならないように、さらに、積み重ね方向に隣接する第２のウェットティッシュの補助片が積み重ね方向に重ならないように構成するのが好ましい。
【０００６】
他の形態では、積み重ね方向に隣接する第１のウェットティッシュの補助片が積み重ね方向に重ならないように、あるいは、積み重ね方向に隣接する第２のウェットティッシュの補助片が積み重ね方向に重ならないように構成されている。「補助片が積み重ね方向に重ならない」という記載は、一方の補助片から積み重ね方向に沿って引いた線が他方の補助片と交差しない構成を意味する。積み重ね方向に隣接する第１のウェットティッシュの補助片あるいは積み重ね方向に隣接する第２のウェットティッシュの補助片が積み重ね方向に重ならないように構成する態様としては、例えば、第１のウェットティッシュあるいは第２のウェットティッシュの形状や、補助片の形成位置や形状（幅寸法等）を調整する態様が用いられる。
本形態では、積み重ね方向に隣接する第１のウェットティッシュの補助片あるいは隣接する第１のウェットティッシュの補助片が積み重ね方向に重ならないため、シート積み重ね体が部分的に嵩高になるのを防止することができる。
【０００７】
他の発明は、取り出し口が形成されたケースと、ケース内に収容され、複数のウェットティッシュが積み重ねられたシート積み重ね体を備え、ケースの取り出し口から、積み重ね体を構成するウェットティッシュが順次取り出されるシート収容装置に関する。そして、本発明では、シート積み重ね体として前述したシート積み重ね体のいずれかが用いられている。
本発明では、ウェットティッシュを安定して取り出すことができるシート収容装置を得ることができる。
【発明の効果】
【０００８】
本発明では、シート積み重ね体の幅寸法を広げることなく、ウェットティッシュを安定して取り出すことができる。
【発明を実施するための最良の形態】
【０００９】
以下に、本発明の一実施の形態を、図１〜図５を参照して説明する。本実施の形態では、ウェットティッシュを積み重ねる場合について説明する。図１、図２は、本実施の形態のシート積み重ね体１２０を構成する第１のシート体１３０、第２のシート体１４０を幅方向（折り返し線に直角な方向）から見た図である。図３、図４は、本実施の形態のシート積み重ね体１２０の一例、他の例を幅方向（折り返し線に直角な方向）から見た図である。図５は、図４に示される本実施の形態のシート積み重ね体１２０の１例をケース１１１に収容したシート収容装置１１０を幅方向（折り返し線に直角な方向）から見た図である。
ウェットティッシュ１０は、例えば、図１、図２に示されているように、長辺Ｍ（長さｍ）と短辺Ｎ（長さｎ）を有する長方形に形成された含浸シートにより構成される。勿論、ウェットティッシュ１０の形状は、正方形（ｍ＝ｎ）を含む種々の形状に形成することができる。含浸シートは、基材シートに含浸液を含浸することによって形成される。基材シートとしては、例えば、パルプを原料とするシート、パルプと熱可塑性樹脂を原料とするシート、不織布により形成されたシート等が用いられる。含浸液としては、例えば、水や水溶性アルコール等が用いられる。
【００１０】
本実施の形態のシート積み重ね体１２０は、ウェットティッシュ１０を折り返すことによって形成される第１のシート体１３０と第２のシート体１４０により構成される。
第1のシート体１３０は、図１に示されているように、ウェットティッシュ１０の長辺Ｍに沿った（幅方向に）、一方側の端部１３０ａから間隔（距離）ｘａ、ｘｂの箇所で、短辺Ｎに平行（幅方向に直角）な第１の折り返し線１３０ｂ、第２の折り返し線１３０ｃに沿って折り返される。第２の折り返し線１３０ｃに沿った折り返し方向は、第１の折り返し線１３０ｂに沿った折り返し方向と逆方向に設定される。例えば、一方側の端部１３０ａは、第１の折り返し線１３０ｂに沿って上方（幅方向に直角な方向の一方側）に折り返され、他方側の端部１３０ｄは、折り返し線に１３０ｃに沿って下方（幅方向に直角な方向の他方側）に折り返される。これにより、第１のシート体１３０は、幅方向から見て、一方側の端部１３０ａと第１の折り返し線１３０ｂとの間の第１の片１３１、第１の折り返し線１３０ｂと第２の折り返し線１３０ｃとの間の第２の片１３２、第２の折り返し線１３０ｃと他方側の端部１３０ｄとの間の第３の片１３３を有するＺ字型に形成される。さらに、第１のシート体１３０は、幅方向に沿った、他方側の端部１３０ｄから間隔（距離）ｘｃ２の箇所で、短辺Ｎに平行（幅方向に直角）な補助折り返し線１３０ｅに沿って折り返されている。本実施の形態では、補助折り返し線１３０ｅに沿った折り返し方向は、第２の折り返し線１３０ｃに沿った折り返し方向と逆方向に設定される。例えば、他方側の端部１３０ｄは、補助折り返し線１３０ｅに沿って下方（幅方向に直角な方向の他方側）に折り返される。これにより、第１のシート体１３０の第３の片１３３は、分割された第１の分割片１３３ａと第２の分割片１３３ｂにより構成される。
第１のシート体１３０が本発明の「第１のシート体」に対応し、第１のシート体１３０の第１の片１３１が本発明の「第１のシート体の第１の片」に対応し、第１のシート体１３０の第２の片１３２が本発明の「第１のシート体の第２の片」に対応し、第１のシート体１３０の第３の片１３３（第１の分割片１３３ａと第２の分割片１３３ｂ）が本発明の「第１のシート体の第３の片」に対応し、第１のシート体１３０の第３の片１３３ｃの第２の分割片１３３ｂが本発明の「第１のシート体の片のうち、積み重ね方向のいずれか一方側の片の端部側が折り返されて形成される補助片」に対応する。
【００１１】
第２のシート体１４０は、図２に示されているように、ウェットティッシュ１０の長辺Ｍに沿った（幅方向に）、一方側の端部１４０ａから間隔（距離）ｙａの箇所で、短辺Ｎに平行（幅方向に直角）な折り返し線１４０ｂに沿って折り返される。例えば、他方側の端部１４０ｃが、折り返し線１４０ｂに沿って下方（幅方向に直角な方向の他方側）に折り返される。これにより、第２のシート体１４０は、幅方向から見て、一方側の端部１４０ａと折り返し線１４０ｂとの間の第１の片１４１、折り返し線１４０ｂと他方側の端部１４０ｃとの間の第２の片１４２を有するＶ字型に形成される。さらに、第２のシート体１４０は、幅方向に沿った、他方側の端部１４０ｃから間隔（距離）ｙｂ２の箇所で、短辺Ｎに平行（幅方向に直角）な補助折り返し線１４０ｅに沿って折り返されている。本実施の形態では、補助折り返し線１４０ｅに沿った折り返し方向は、折り返し線１４０ｂに沿った折り返し方向と逆方向に設定される。例えば、他方側の端部１４０ｃは、補助折り返し線１４０ｅに沿って下方（幅方向に直角な方向の他方側）に折り返される。これにより、第２のシート体１４０の第２の片１４２は、分割された第１の分割片１４３ａと第２の分割片１４３ｂにより構成される。
第２のシート体１４０が本発明の「第２のシート体」に対応し、第２のシート体１４０の第１の片１４１が本発明の「第２のシート体の第４の片」に対応し、第２のシート体１４０の第２の片１４２（第１の分割片１４２ａと第２の分割片１４２ｂ）が本発明の「第２のシート体の５の片」に対応し、第２のシート体１４０の第２の分割片１４２ｂが本発明の「第２のシート体の片のうち、積み重ね方向のいずれか一方側の片の端部側が折り返されて形成される補助片」に対応する。
【００１２】
次に、第１のシート体１３０と第２のシート体１４０を積み重ねることによってシート積み重ね体１２０を構成する。第１のシート体１３０と第２のシート１４０は、積み重ね方向の一方側の端部（図３、図４では上側）に積み重ねられている第１のシート体１３０または第２のシート１４０をシート積み重ね体１２０から順次引き離す際に、当該引き離される第１のシート体１３０または第２のシート体１４０に隣接して積み重ねられている第２のシート体１４０または第１のシート体１３０の一部がシート積み重ね体１２０から引き離されるように積み重ねられる。
例えば、第２のシート体１４０の第１の片１４１と第２の片１４２（第１の分割片１４２ａと第２の分割片１４２ｂ）が、それぞれ、第２のシート体１４０の積み重ね方向の一方側に配置される第１のシート体１３０の第２の片１３２と第３の片１３３（第１の分割片１３３ａと第２の分割片１３３ｂ）との間、第２のシート体１４０の積み重ね方向の他方側に配置される第１のシート体１３０の第１の片１３１と第２の片１３２との間に挿入されるように積み重ねられる。
【００１３】
本実施の形態のシート積み重ね体１２０の１例を図３に示す。図３では、ウェットティッシュ１０の幅寸法ｍが２００ｍｍ、シート積み重ね体１２０の幅寸法Ｌが９０ｍｍ、第１のシート体１３０の第１の片１３１の幅寸法ｘａが４５ｍｍ、第２の片１３２の幅寸法xｂが９０ｍｍ、第１の分割片１３０ａの幅寸法ｘｃ１が４５ｍｍ、第２の分割片１３０ｂの幅寸法ｘｃ２が２０ｍｍ（すなわち、第３の片１３３の幅寸法ｘｃが６５ｍｍ）、第２のシート体１４０の第１の片１４１の幅寸法ｙａが９０ｍｍ、第１の分割１４２ａの幅寸法ｙｂ１が９０ｍｍ、第２の分割片１４２ｂの幅寸法ｙｂ２が２０ｍｍ（すなわち、第２の片１４２の幅寸法ｙｂが１１０ｍｍ）に設定されている。
第１のシート体１３０と第２のシート体１４０は、第１のシート体１３０および第２のシート体１４０の折り返し線に直角な方向（幅方向）から見て、積み重ね方向（図３では上下方向）に沿って、交互に配置される。また、第１のシート体１３０は、積み重ね方向に沿って、一方側の端部１３０ａと他方側の端部１３０ｄの位置関係が、積み重ね方向に直角な方向（図３では左右方向）に対して交互に逆となるように配置される。同様に、第２のシート体１４０は、積み重ね方向に沿って、一方側の端部１４０ａと他方側の端部１４０ｃの位置関係が、積み重ね方向に直角な方向（図３では左右方向）に対して交互に逆となるように配置される。
なお、以下では、一方側の端部１３０ａと他方側の端部１３０ｄが一方の位置関係に配置される第１のシート体１３０を１３０Ａ（第１のグループの第１のシート体）で表し、他方の位置関係（一方の位置関係と逆の位置関係）に配置される第１のシート体１３０を１３０Ｂ（第２のグループの第１のシート体）で表す。図３では、第１のシート体１３０Ａ（第１のグループの第１のシート体）は、一方側の端部１３０ａＡが左側（積み重ね方向に直角な方向に対して一方側）に配置され、他方側の端部１３０ｄＡが右側（積み重ね方向に直角な方向に対して他方側）に配置されている。また、第１のシート体１３０Ｂ（第２のグループの第１のシート体）は、一方側の端部１３０ａＢが右側（積み重ね方向に直角な方向に対して他方側）に配置され、他方側の端部１３０ｄＢが左側（積み重ね方向に直角な方向に対して一方側）に配置されている。
同様に、一方側の端部１４０ａと他方側の端部１４０ｃが一方の位置関係に配置される第２のシート体１４０を１４０Ａ（第１のグループの第２のシート体）で表し、他方の位置関係（一方の位置関係と逆の位置関係）に配置される第２のシート体１４０を１４０Ｂ（第２のグループの第２のシート体）で表す。図３では、第２のシート体１４０Ａ（第１のグループの第２のシート体）は、一方側の端部１４０ａＡが右側（積み重ね方向に直角な方向に対して他方側）に配置され、他方側の端部１４０ｃＡが左側（積み重ね方向に直角な方向に対して一方側）に配置されている。また、第２のシート体１４０Ｂ（第２のグループの第２のシート体）は、一方側の端部１４０ａＢが左側（積み重ね方向に直角な方向に対して一方側）に配置され、他方側の端部１４０ｃＢが右側（積み重ね方向に直角な方向に対して他方側）に配置されている。
【００１４】
そして、第１のシート体１３０Ａ、１３０Ｂと第２のシート体１４０Ａ、１４０Ｂが積み重ね方向に順次積み重ねられる。
本実施の形態では、第２のシート体１４０Ａの第１の片１４１Ａが、第２のシート体１４０Ａの上側（積み重ね方向の一方側）に配置される第１のシート体１３０Ａの第２の片１３２Ａと第３の片１３３Ａ（第１の分割片１３３ａＡと第２の分割片１３３ｂＡ）との間、具体的には、第２の片１３２Ａと第１の分割片１３３ａＡとの間に挿入されるように配置される。また、第２のシート体１４０Ａの第２の片１４２Ａ（第１の分割片１４２ａＡと第２の分割片１４２ｂＡ）が、第２のシート体１４０Ａの下側（積み重ね方向の他方側）に配置される第１のシート体１３０Ｂの第１の片１３１Ｂと第２の片１３２Ｂとの間に挿入されるように積み重ねられる。
同様に、第２のシート体１４０Ｂの第１の片１４１Ｂが、第２のシート体１４０Ｂの上側（積み重ね方向の一方側）に配置される第１のシート体１３０Ｂの第２の片１３２Ｂと第３の片１３３Ｂ（第１の分割片１３３ａＢと第２の分割片１３３ｂＢ）との間、具体的には、第２の片１３２Ｂと第１の分割片１３３ａＢとの間に挿入されるように配置される。また、第２のシート体１４０Ｂの第２の片１４２Ｂ（第１の分割片１４２ａＢと第２の分割片１４２ｂＢ）が、第２のシート体１４０Ｂの下側（積み重ね方向の他方側）に配置される第１のシート体１３０Ａの第１の片１３１Ａと第２の片１３２Ａとの間に挿入されるように積み重ねられる。
【００１５】
図３に示されている本実施の形態のシート積み重ね体１２０は、図５に示されているシート収容装置１１０のケース１１１内に収容される。ケース１１１には、シート取り出し口１１２が形成されている。シート積み重ね体１２０を構成している第１のシート体１３０（１３０Ａ、１３０Ｂ）および第２のシート体１４０（１４０Ａ、１４０Ｂ）は、ケース１１１の取り出し口１１２から順次取り出される。本実施の形態では、シート積み重ね体１２０は、図３の上側（積み重ね方向の一方側）がケース１１１の取り出し口１１２側に配置されるようにケース１１１内に収容される。
【００１６】
ケース１１１の取り出し口１１２から第１のシート体１３０（１３０Ａ、１３０Ｂ）および第２のシート体１４０（１４０Ａ、１４０Ｂ）を取り出す動作を以下に説明する。
シート積み重ね体１２０の上側（積み重ね方向の一方側）の端部に積み重ねられている第１のシート１３０Ａを取り出す場合には、第１のシート１３０Ａの一方側の端部１３０ａＡ側を、取り出し口１１２から実線矢印で示されている上方向（積み重ね方向の一方側の方向）に引っ張り、シート積み重ね体１２０から引き離す。この時、第１のシート体１３０Ａの第２の片１３３Ａ（詳しくは、第２の片１３３Ａを構成する分割片のうち積み重ね方向の一方側に配置されている第１の分割片１３３ａＡ）も破線矢印で示されている上方向に引っ張られる。本実施の形態では、第１のシート体１３０Ａに隣接して配置されている第２のシート１体１４０Ａの第１の片１４１Ａが、第１のシート体１３０Ａの第２の片１３２Ａと第３の片１３３Ａ（詳しくは、第３の片１３３Ａを構成する分割片のうち積み重ね方向の一方側に配置されている第１の分割片１３３ａＡ）との間に挿入されている。このため、第１のシート体１３０Ａの第３の片１３３Ａが破線矢印で示される上方向に引っ張られる時に、第１のシート体１３０Ａの第３の片１３３Ａの第１の分割片１３３ａＡと第２のシート体１４０Ａの第１の片１４１Ａとの間の摩擦力によって、第２のシート体１４０Ａの第１の片１４１Ａも上方向に引っ張られる。ここで、図３に示されている第1のシート体１３０（１３０Ａ、１３０ｂ）と第２のシート体１４０（１４０Ａ、１４０Ｂ）を用いた場合には、第１のシート体１３０Ａの第３の片１３３Ａの第１分割片１３３ａＡと第２のシート体１４０Ａの片１４１Ａとの間の重なり領域Ｗの重なり幅ｗは４５ｍｍに設定される。したがって、第１のシート体１３０Ａの第１の分割片１３３ａＡと第２のシート体１４０Ａの第１の片１４１Ａとの間には、重なり領域Ｗの重なり幅ｗに対応した摩擦力が発生する。そして、第１のシート体１３０Ａが取り出し口１１２から取り出された時、第２のシート体１４０Ａの第１の片１４１Ａの一方側の端部１４０ａＡ側の一部が取り出し口１１２から飛び出した状態（取り出された状態）となる。
【００１７】
次に、第２のシート体１４０Ａを取り出す場合には、取り出し口１１２から飛び出している第２のシート体１４０Ａの第１の片１４１Ａの一方側の端部１４０ａＡ側の一部を実線矢印で示されている上方向に引っ張り、シート積み重ね体１２０から引き離す。この時、第２のシート体１４０Ａの第２の片１４２Ａ（詳しくは、第２の片１４２Ａを構成する分割片のうち積み重ね方向の一方側に配置されている第１の分割片１４２ａＡ）も破線矢印で示される上方向に引っ張られる。本実施の形態では、第２のシート体１４０Ｂの第２の片１４２Ａ（詳しくは、第１の分割片１４２ａＡ）は、第１のシート体１３０Ｂの第１の片１３１Ｂと第２の片１３２Ｂの間に挿入されている。このため、第２のシート体１４０Ａの第２の片１４２Ａ（詳しくは、第１の分割片１４２ａＡ）が破線矢印で示される上方向に引っ張られる時に、第２のシート体１４０Ａの第２の片１４２Ａの第１の分割片１４２ａＡと第１のシート体１３０Ｂの第１の片１３１Ｂとの間の摩擦力によって、第１のシート体１３０Ｂの第１の片１３１の一方の端部１３０ａＢ側も上方向に引っ張られる。ここで、図３に示されている第1のシート体１３０（１３０Ａ、１３０ｂ）と第２のシート体１４０（１４０Ａ、１４０Ｂ）を用いた場合には、第２のシート体１４０Ａの第２の片１４２Ａの第１分割片１４２ａＡと第２のシート体１３０Ｂの第１の片１３１Ｂとの間の重なり領域Ｗの重なり幅ｗは４５ｍｍに設定される。したがって、第２のシート体１４０Ａの第１の分割片１４２ａＡと第２のシート体１３０Ｂの第１の片１３１Ｂとの間には、重なり領域Ｗの重なり幅ｗに対応した摩擦力が発生する。そして、第２のシート体１４０Ａが取り出し口１１２から取り出された時、第１のシート体１３０Ｂの第１の片１３１Ｂの一方の端部１３０ａ側の一部が取り出し口１１２から飛び出した状態（取り出された状態）となる。
以下、同様にして、取り出し口１１２から飛び出している第１のシート体１３０Ｂの第１の片１３１Ｂの一方の端部１３０ａＢ側の一部を上方向に引っ張ると、第１のシート体１３０Ｂが取り出されるとともに、次に取り出される第２のシート体１４０Ｂの第１の片１４１Ｂの一方の端部１４０ａＢ側の一部が取り出し口１１２から飛び出した状態（取り出された状態）となる。また、取り出し口１１２から飛び出している第２のシート体１４０Ｂの第１の片１４１Ｂの一方の端部１４０ａＢ側の一部を上方向に引っ張ると、第２のシート体１４０Ｂが取り出されるとともに、次に取り出される第１のシート体１３０Ａの第１の片１３１Ａの一方の端部１３０ａＡ側の一部が取り出し口１１２から飛び出した状態（取り出された状態）となる。
【００１８】
以上のように、図３に示されている寸法に設定されている第１のシート体１３０（１３０Ａ、１３０Ｂ）と第２のシート体１４０（１４０Ａ、１４０Ｂ）によってシート積み重ね体１２０を構成した場合、シート幅ｍが２００ｍｍ、シート積み重ね体１２０の幅寸法Ｌが９０ｍｍであっても（［ｎ＞２×ｍ］であっても）、第１のシート体１３０（１３０Ａ、１３０Ｂ）あるいは第２のシート体１４０（１４０Ａ、１４０Ｂ）を取り出す際の第１のシート体１３０と第２のシート体１４０（１４０Ａ、１４０Ｂ）との間の重なり領域Ｗの重なり幅ｗを所望値である４５ｍｍに設定することができる。
また、本実施の形態では、積み重ね方向に隣接する第１のシート体１３０の補助片と第２のシート体１４０の補助片（例えば、１３３ｂＡと１４２ｂＡ、１３３ｂＢと１４２ｂＢ）、積み重ね方向に隣接する第１のシート体１３０の補助片（例えば、１３３ｂＡと１３３ｂＢ）、積み重ね方向に隣接する第２のシート体１４０の補助片（例えば、１４２ｂＡと１４２ｂＢ）が積み重ね方向に重なっていない。このため、シート積み重ね体１２０が部分的に嵩高になるのを防止することができる。
【００１９】
寸法が異なる第１のシート体１３０（１３０Ａ、１３０Ｂ）と第２のシート体（１４０Ａ、１４０Ｂ）を用いてシート積み重ね体１２０を構成した他の例を図４に示す。
図４では、ウェットティッシュ１０の幅寸法ｍが２００ｍｍ、シート積み重ね体１２０の幅寸法Ｌが９０ｍｍ、第１のシート体１３０の第１の片１３１の幅寸法ｘａが４５ｍｍ、第２の片１３２の幅寸法ｘｂが９０ｍｍ、第１の分割片１３０ａの幅寸法ｘｃ１が３５ｍｍ、第２の分割片１３０ｂの幅寸法ｘｃ２が３０ｍｍ（すなわち、第３の片１３３の幅寸法ｘｃが６５ｍｍ）、第２のシート体１４０の第１の片１４１の幅寸法ｙａが９０ｍｍ、第１の分割片１４２ａの幅寸法ｙｂ１が８０ｍｍ、第２の分割片１４２ｂの幅寸法ｙｂ２が３０ｍｍ（すなわち、第２の片１４２の幅寸法ｙｂ１１０ｍｍ）に設定されている。
図４に示されている第１のシート体１３０と第２のシート体１４０を用いた場合には、シート幅ｍが２００ｍｍ、シート積み重ね体１２０の幅寸法Ｌが９０ｍｍであっても（［ｎ＞２×ｍ］であっても）、第１のシート体１３０（１３０Ａ、１３０Ｂ）あるいは第２のシート体１４０（１４０Ａ、１４０Ｂ）を取り出す際の第１のシート体１３０（１３０Ａ、１３０Ｂ）と第２のシート体１４０（１４０Ａ、１４０Ｂ）との間の重なり領域Ｗの重なり幅ｗを所望値である３５ｍｍに設定することができる。
【００２０】
シート積み重ね体およびシート収容装置の第２の実施の形態を、図６を参照して説明する。
本実施の形態のシート積み重ね体２２０は、第１のシート体２３０と第２のシート体２４０により構成される。
第1のシート体２３０は、第１の実施の形態の第１のシート体１３０と同様に、幅方向に一方側の端部２３０ａから間隔（距離）ｘａ、ｘｂの箇所で、第１の折り返し線２３０ｂ、第２の折り返し線２３０ｃに沿って折り返される。第２の折り返し線２３０ｃに沿った折り返し方向は、第１の折り返し線２３０ｂに沿った折り返し方向と逆方向に設定される。これにより、第１のシート体２３０は、第１の片２３１、第２の片２３２、第３の片２３３を有するＺ字型に形成される。さらに、第１のシート体２３０は、幅方向に沿った、他方の端部２３０ｄから間隔（距離）ｘｃ２の箇所で、補助折り返し線２３０ｅに沿って折り返されている。本実施の形態では、補助折り返し線２３０ｅに沿った折り返し方向は、第２の折り返し線２３０ｃに沿った折り返し方向と同方向に設定されている。例えば、他方の端部２３０ｄは、補助折り返し線２３０ｅに沿って上方（幅方向に直角な方向の一方側）に折り返される。これにより、第１のシート体２３０の第３の片２３３は、分割された第１の分割片２３３ａと第２の分割片１３３ｂにより構成される。
第２のシート体１４０は、第１の実施の形態の第２のシート体１４０と同様に、幅方向に一方側の端部２４０ａから間隔（距離）ｙａの箇所で、折り返し線２４０ｂに沿って折り返される。これにより、第２のシート体２４０は、第１の片２４１と第２の片２４２を有するＶ字型に形成される。さらに、第２のシート体２４０は、幅方向に沿った、他方側の端部２４０ｃから間隔（距離）ｙｂ２の箇所で、補助折り返し線２４０ｅに沿って折り返されている。本実施の形態では、補助折り返し線２４０ｅに沿った折り返し方向は、折り返し線２４０ｂに沿った折り返し方向と同方向に設定される。例えば、他方側の端部２４０ｃは、補助折り返し線２４０ｅに沿って上方（幅方向に直角な方向の一方側）に折り返される。これにより、第２のシート体２４０の第２の片２４２は、分割された第１の分割片２４２ａと第２の分割片２４２ｂにより構成される。
そして、第１の実施の形態と同様に、第２のシート体２４０の第１の片２４１と第２の片２４２（第１の分割片２４２ａと第２の分割片２４２ｂ）が、それぞれ、第２のシート体２４０の積み重ね方向の一方側に配置される第１のシート体２３０の第２の片２３２と第３の片２３３（第１の分割片２３３ａと第２の分割片２３３ｂ）との間、第２のシート体２４０の積み重ね方向の他方側に配置される第１のシート体２３０の第１の片２３１と第２の片２３２との間に挿入されるように積み重ねられる。
【００２１】
本実施の形態では、第１のシート体２３０Ａ（２３０Ｂ）をケース２１１の取り出し口２１２から取り出す際には、第１のシート体２３０Ａ（２３０Ｂ）の第３の片の第２の分割片２３３ｂＡ（２３３ｂＢ）と第２のシート体２４０Ａ（２４０Ｂ）の第１の片２４１Ａ（２４１Ｂ）との間の摩擦力によって、第２のシート体２４０Ａ（２４０Ｂ）の第１の片２４１Ａ（２４１Ｂ）の一方側の端部２４０ａＡ（２４０ａＢ）側の一部が取り出し口２１２から飛び出す。
また、第２のシート体２４０Ａ（２４０Ｂ）をケース２１１の取り出し口２１２から取り出す際には、第２のシート体２４０Ａ（２４０Ｂ）の第２の片２４２Ａの第２の分割片２４２ｂＡ（２４２ｂＢ）と第１のシート体２３０Ｂ（２３０Ａ）の第１の片２３１Ｂ（２３１Ａ）との間の摩擦力によって、第１のシート体２３０Ｂ（２４０Ａ）の第１の片２３１Ｂ（２３１Ａ）の一方側の端部２３０ａＢ（２３０ａＡ）側の一部が取り出し口２１２から飛び出す。
本実施の形態においても、第１のシート体２３０の第３の片２３３の第２の分割片（他方側の端部２３０ｄ側の折り返し片）２３３ｂの長さおよび第２のシート体２４０の第２の片２４２の第２の分割片（他方側の端部２４０ｃ側の折り返し片）２４２ｂの寸法を調整することによって、第１のシート体２３０と第２のシート体２４０の間の重ね領域Ｗの重ね長さｗを小さくすることができる。
また、積み重ね方向に隣接する第１のシート体２３０の補助片と第２のシート体２４０の補助片（例えば、２４２ｂＡと２３２ｂＡ、２４２ｂＢと２３２ｂＢ）、積み重ね方向に隣接する第１のシート体２３０の補助片（例えば、２４２ｂＡと２３２ｂＢ）、積み重ね方向に隣接する第２のシート体２４０の補助片（例えば、２３２ｂＡと２３２ｂＢ）が積み重ね方向に重なっていない。このため、シート積み重ね体２２０が部分的に嵩高になるのを防止することができる。
【００２２】
シート積み重ね体およびシート収容装置の第３の実施の形態を、図７を参照して説明する。
第1のシート体３３０は、ウェットティッシュ１０の幅方向に、一方側の端部３３０ａから間隔（距離）ｘａ、ｘｂの箇所で、短辺Ｎに平行（幅方向に直角）な第１の折り返し線３３０ｂ、第２の折り返し線３３０ｃに沿って折り返される。第２の折り返し線３３０ｃに沿った折り返し方向は、第１の折り返し線３３０ｂに沿った折り返し方向と逆方向に設定される。例えば、一方側の端部３３０ａは、第１の折り返し線３３０ｂに沿って上方（幅方向に直角な方向の一方側）に折り返され、他方側の端部３３０ｄは、折り返し線に３３０ｃに沿って下方（幅方向に直角な方向の他方側）に折り返される。これにより、第１のシート体３３０は、第１の片３３１、第２の片３３２、第３の片３３３を有するＺ字型に形成される。さらに、第１のシート体３３０は、ウェットティッシュ１０の幅方向に沿った、一方側の端部３３０ａから間隔（距離）ｘａ１の箇所で、幅方向に直角な補助折り返し線３３０ｅに沿って折り返されている。本実施の形態では、補助折り返し線３３０ｅに沿った折り返し方向は、第１の折り返し線３３０ｂに沿った折り返し方向と同方向に設定される。例えば、一方側の端部３３０ａは、補助折り返し線３３０ｅに沿って下方（幅方向に直角な方向の他方側）に折り返される。これにより、第１のシート体３３０の第１の片３３１は、分割された第１の分割片３３１ａと第２の分割片３３１ｂにより構成される。
第１のシート体３３０が本発明の「第１のシート体」に対応し、第１のシート体３３０の第１の片３３１（第１の分割片３３１ａと第２の分割片３３１ｂ）が本発明の「第１のシート体の第１の片」に対応し、第１のシート体３３０の第２の片３３２が本発明の「第１のシート体の第２の片」に対応し、第１のシート体３３０の第３の片３３３が本発明の「第１のシート体の第３の片」に対応し、第１のシート体３３０の第１の片３３１ａの第１の分割片３３１ａが本発明の「第１のシート体の片のうち、積み重ね方向のいずれか一方側の片の端部側で折り返されて形成された補助片」に対応する。
【００２３】
第２のシート体３４０は、ウェットティッシュ１０の幅方向に、一方側の端部３４０ａから間隔（距離）ｙａの箇所で、幅方向に直角な折り返し線３４０ｂに沿って折り返される。これにより、第２のシート体３４０は、第１の片３４１と第２の片３４２を有するＶ字型に形成される。さらに、第２のシート体３４０は、幅方向に沿った、一方側の端部３４０ａから間隔（距離）ｙｂ１の箇所で、幅方向に直角な補助折り返し線３４０ｅに沿って折り返されている。本実施の形態では、補助折り返し線３４０ｅに沿った折り返し方向は、折り返し線３４０ｂに沿った折り返し方向と逆方向に設定される。例えば、他方側の端部３４０ｃは、補助折り返し線３４０ｅに沿って下方（幅方向に直角な方向の他方側）に折り返される。これにより、第２のシート体３４０の第１の片３４１は、分割された第１の分割片３４１ａと第２の分割片３４１ｂにより構成される。
第２のシート体３４０が本発明の「第２のシート体」に対応し、第２のシート体３４０の第１の片３４１（第１の分割片３４１ａと第２の分割片３４１ｂ）が本発明の「第２のシート体の第４の片」に対応し、第２のシート体３４０の第２の片３４２が本発明の「第２のシート体の第５の片」に対応し、第２のシート体３４０の第１の分割片３４１ｂが本発明の「第２のシート体の片のうち、積み重ね方向のいずれか一方側の片の端部側で折り返されて形成された補助片」に対応する。
【００２４】
そして、第１の実施の形態と同様に、第２のシート体３４０の第１の片３４１（第１の分割片３４１ａと第２の分割片３４１ｂ）と第２の片３４２が、それぞれ、第２のシート体３４０の積み重ね方向の一方側に配置される第１のシート体３３０の第２の片３３２と第３の片３３３との間、第２のシート体３４０の積み重ね方向の他方側に配置される第１のシート体３３０の第１の片３３１（第１の分割片３３１ａと第２の分割片３３１ｂ）と第２の片２３２との間に挿入されるように積み重ねられる。
【００２５】
本実施の形態では、第１のシート体３３０Ａ（３３０Ｂ）をケース３１１の取り出し口３１２から取り出す際には、第１のシート体３３０Ａ（３３０Ｂ）の第３の片３３３Ａ（３３３Ｂ）と第２のシート体３４０Ａ（３４０Ｂ）の第１の片３４１Ａ（３４１Ｂ）の第１の分割片３４１ａＡ（３４１ａＢ）との間の摩擦力によって、第２のシート体３４０Ａ（３４０Ｂ）の第１の片３４１Ａ（３４１Ｂ）の第１の分割片３４１ａＡ（３４１ａＢ）が取り出し口３１２から飛び出す。
また、第２のシート体３４０Ａ（３４０Ｂ）をケース３１１の取り出し口３１２から取り出す際には、第２のシート体３４０Ａ（３４０Ｂ）の第２の片３４２Ａ（２４２Ｂ）と第１のシート体３３０Ｂ（３３０Ａ）の第１の片３３１Ｂ（３３１Ａ）の第１の分割片３３１ａＢ（３３１ａＡ）との間の摩擦力によって、第１のシート体３３０Ｂ（３３０Ａ）の第１の片３３１Ｂ（３３１Ａ）の第１の分割片３３１ａＢ（３３１ａＡ）が取り出し口３１２から飛び出す。
本実施の形態においても、第１のシート体３３０の第１の片３３１の第１の分割片（第１の片３３１の補助片）３３１ａの長さおよび第２のシート体３４０の第２の片３４２の第２の分割片（第２の片３４２の補助片）２４２ｂの寸法を調整することによって、第１のシート体３３０と第２のシート体２４０の間の重ね領域Ｗの重ね長さｗを小さくすることができる。
また、積み重ね方向に隣接する第１のシート体３３０の補助片と第２のシート体３４０の補助片（例えば、３３１ａＢと３４１ａＡ、３３１ａＡと３４１ＡＢ）、積み重ね方向に隣接する第１のシート体３３０の補助片（例えば、３４１ａＡと３４１ａＢ）、積み重ね方向に隣接する第２のシート体３４０の補助片（例えば、３３１ａＢと３３１ａＡ）が積み重ね方向に重なっていない。このため、シート積み重ね体３２０が部分的に嵩高になるのを防止することができる。
【００２６】
シート積み重ね体およびシート収容装置の第４の実施の形態を、図８を参照して説明する。
本実施の形態のシート積み重ね体４２０は、第１のシート体４３０と第２のシート体４４０により構成される。
第1のシート体４３０は、第３の実施の形態の第１のシート体３３０と同様に、幅方向に一方側の端部４３０ａから間隔（距離）ｘａ、ｘｂの箇所で、第１の折り返し線４３０ｂ、第２の折り返し線４３０ｃに沿って折り返される。第２の折り返し線４３０ｃに沿った折り返し方向は、第１の折り返し線４３０ｂに沿った折り返し方向と逆方向に設定される。これにより、第１のシート体４３０は、第１の片４３１、第２の片４３２、第３の片４３３を有するＺ字型に形成される。さらに、第１のシート体４３０は、幅方向に沿った、一方側の端部４３０ａから間隔（距離）ｘａ１の箇所で、補助折り返し線４３０ｅに沿って折り返されている。本実施の形態では、補助折り返し線４３０ｅに沿った折り返し方向は、第１の折り返し線４３０ｂに沿った折り返し方向と逆方向に設定されている。例えば、一方側の端部４３０ａは、補助折り返し線４３０ｅに沿って上方（幅方向に直角な方向の一方側）に折り返される。これにより、第１のシート体４３０の第１の片４３１は、分割された第１の分割片４３１ａと第２の分割片４３１ｂにより構成される。
第２のシート体４４０は、第３の実施の形態の第２のシート体４４０と同様に、幅方向に一方側の端部４４０ａから間隔（距離）ｙａの箇所で、折り返し線４４０ｂに沿って折り返される。これにより、第２のシート体４４０は、第１の片４４１と第２の片４４２を有するＶ字型に形成される。さらに、第２のシート体４４０は、幅方向に沿った、一方側の端部４４０ａから間隔（距離）ｙａ１の箇所で、補助折り返し線４４０ｅに沿って折り返されている。本実施の形態では、補助折り返し線４４０ｅに沿った折り返し方向は、折り返し線４４０ｂに沿った折り返し方向と逆方向に設定される。例えば、一方側の端部４４０ａは、補助折り返し線４４０ｅに沿って上方（幅方向に直角な方向の一方側）に折り返される。これにより、第２のシート体４４０の第１の片４４１は、分割された第１の分割片４４１ａと第２の分割片４４１ｂにより構成される。
そして、第３の実施の形態と同様に、第２のシート体４４０の第１の片４４１（第１の分割片４４１ａと第２の分割片４４１ｂ）と第２の片４４２が、それぞれ、第２のシート体４４０の積み重ね方向の一方側に配置される第１のシート体４３０の第２の片４３２と第３の片４３３との間、第２のシート体４４０の積み重ね方向の他方側に配置される第１のシート体４３０の第１の片４３１（第１の分割片４３１ａと第２の分割片４３１ｂ）と第２の片４３２との間に挿入されるように積み重ねられる。
【００２７】
本実施の形態では、第１のシート体４３０Ａ（４３０Ｂ）をケース４１１の取り出し口４１２から取り出す際には、第１のシート体４３０Ａ（４３０Ｂ）の第３の片４３３Ａと第２のシート体４４０Ａ（４４０Ｂ）の第１の片４４１Ａ（４４１Ｂ）の第２の分割片４４１ｂＡ（４４１ｂＢ）との間の摩擦力によって、第２のシート体４４０Ａ（４４０Ｂ）の第１の片４４１Ａ（４４１Ｂ）の第２の分割片４４１ｂＡの一方側の端部４４０ａＡ（４４０ａＢ）側の一部が取り出し口４１２から飛び出す。
また、第２のシート体４４０Ａ（４４０Ｂ）をケース４１１の取り出し口４１２から取り出す際には、第２のシート体４４０Ａ（４４０Ｂ）の第２の片４４２Ａの第２の分割片４４２Ａ（４４２Ｂ）と第１のシート体４３０Ｂ（４３０Ａ）の第１の片４３１Ｂ（４３１Ａ）の第２の分割片４３１ｂＢ（４３１ｂＡ）との間の摩擦力によって、第１のシート体４３０Ｂ（４４０Ａ）の第１の片４３１Ｂ（４３１Ａ）の第２の分割片４３１ｂＢ（４３１ｂＡ）の一部が取り出し口４１２から飛び出す。
本実施の形態においても、第１のシート体４３０の第１の片４３１の第１の分割片（一方側の端部４３０ａ側の折り返し片）４３１ａの長さおよび第２のシート体４４０の第１の片４４１の第１の分割片（一方側の端部４４０ａ側の折り返し片）４４１ａの寸法を調整することによって、第１のシート体４３０と第２のシート体４４０の間の重ね領域Ｗの重ね長さｗを小さくすることができる。
【００２８】
シート積み重ね体およびシート収容装置の第５の実施の形態を、図９を参照して説明する。
本実施の形態では、１つのシート体５３０を用いている。シート体５３０は、ウェットティッシュ１０の幅方向に、一方側の端部５３０ａから間隔（距離）ｘａ、ｘｂの箇所で、幅方向に直角な第１の折り返し線５３０ｂ、第２の折り返し線５３０ｃに沿って折り返される。第２の折り返し線５３０ｃに沿った折り返し方向は、第１の折り返し線５３０ｂに沿った折り返し方向と同方向に設定される。例えば、一方側の端部５３０ａは、第１の折り返し線５３０ｂに沿って上方（幅方向に直角な方向の一方側）に折り返され、他方側の端部５３０ｄは、折り返し線５３０ｃに沿って下方（幅方向に直角な方向の他方側）に折り返される。これにより、シート体５３０は、第１の片５３１、第２の片５３２、第３の片５３３を有するＺ字型に形成される。さらに、シート体５３０は、幅方向に沿った、他方側の端部５３０ｄから間隔（距離）ｘｃ２の箇所で、幅方向に直角な補助折り返し線５３０ｅに沿って折り返されている。本実施の形態では、補助折り返し線５３０ｅに沿った折り返し方向は、第２の折り返し線５３０ｃに沿った折り返し方向と逆方向に設定される。例えば、他方側の端部５３０ｄは、補助折り返し線５３０ｅに沿って下方（幅方向に直角な方向の他方側）に折り返される。これにより、シート体５３０の第３の片５３３は、分割された第１の分割片５３３ａと第２の分割片５３３ｂにより構成される。
そして、シート体５３０の第１の片５３１が、積み重ね方向の一方側に配置されている他のシート体５３０の第２の片５３２と第３の片５３３（第１の分割片５３３ａと第２の分割片５３３ｂ）の間に挿入されるように積み重ねられる。
【００２９】
本実施の形態では、シート体５３０をケース５１１の取り出し口５１２から取り出す際には、取り出されるシート体５３０の第３の片５３３（詳しくは、第２の分割片５３３ｂ）と他のシート体５３０の第１の片５３２との間の摩擦力によって、第２のシート体５３０の第１の片５３１の一方側の端部５３０ａ側の一部が取り出し口５１２から飛び出す。
本実施の形態においても、シート体５３０の第３の片５３３の第２の分割片（他方側の端部５３０ｄ側の折り返し片）５３３ｂの幅を調整することによって、シート体５３０間の重ね領域Ｗの重ね長さｗを小さくすることができる。
【００３０】
シート積み重ね体およびシート収容装置の第６の実施の形態を、図１０を参照して説明する。
本実施の形態では、第５の実施の形態と同様に、第１の片６３１、第２の片６３２、第３の片６３３を有するＺ字型に形成されるシート体６３０を用いる。さらに、シート体６３０は、幅方向に沿った、他方側の端部６３０ｄから間隔（距離）ｘｃ２の箇所で、幅方向に直角な補助折り返し線６３０ｅに沿って折り返されている。本実施の形態では、補助折り返し線６３０ｅに沿った折り返し方向は、第２の折り返し線６３０ｃに沿った折り返し方向と逆方向に設定される。例えば、他方側の端部６３０ｄは、補助折り返し線６３０ｅに沿って下方（幅方向に直角な方向の他方側）に折り返される。これにより、シート体６３０の第３の片６３３は、分割された第１の分割片６３３ａと第２の分割片６３３ｂにより構成される。
また、第５の実施の形態と同様に、シート体６３０の第１の片６３１が、積み重ね方向の一方側に配置されている他のシート体６３０の第２の片５６２と第３の片６３３（第１の分割片６３３ａと第２の分割片６３３ｂ）の間に挿入されるように積み重ねられる。
【００３１】
本実施の形態では、シート体６３０をケース６１１の取り出し口６１２から取り出す際には、取り出されるシート体６３０の第３の片６３３（詳しくは、第１の分割片６３３ａ）と他のシート体６３０の第１の片６３２との間の摩擦力によって、シート体６３０の第１の片５３１の一方側の端部６３０ａ側の一部が取り出し口６１２から飛び出す。
本実施の形態においても、シート体６３０の第３の片５３３の第２の分割片（他方側の端部５３０ｄ側の折り返し片）５３３ｂの長さ調整することによって、シート体５３０間の重ね領域Ｗの重ね長さｗを小さくすることができる。
【００３２】
なお、第５の実施の形態および第６の実施の形態では、シート体５３０、６３０の第３の第３の片を第１の分割片と第２の分割片に分割し（他方側の端部側が折り返された補助片を形成し）たが、第１の片を第１の分割片と第２の分割片に分割する（一方側の端部を折り返して補助片を形成する）こともできる。この場合にも、第１の片の第１の分割辺（補助片）の幅を調整することによって、シート体間の重なり領域における重なり幅を小さくすることができる。
また、Ｚ字型のシート体やＶ字型のシート体を積み重ねてシート積み構成したが、シート積み重ね体を構成するシート体の形状は、適宜選択することができる。
以上のように、本発明では、シートを折り返すことによって形成される１種類あるいは複数種類のシート体を複数積み重ねてシート積み重ね体を構成する場合に、シート体を構成する片のうち、積み重ね方向のいずれか一方の片に、端部側を折り返した補助片（分割片）を形成している。この補助片の幅を調整することによって、シート体間の重なり領域における摩擦力を抑えることができ、安定してシートを取り出すことができる。この場合、端部側を折り返して補助片を形成することにより、端部側に空隙が形成される。この空隙を挟んで積み重ね方向に配置されているシート体（シート）に含浸されている液体膜（例えば、（水膜）を破壊するため、液体膜によるシート体間の接着力が低下する。これにより、複数のシート体が繋がって出てくるのをより抑制することができる。また、本発明の技術は、シート積み重ね体の幅寸法Ｌをシートの幅寸法ｍの１／２以下に抑える際に特に有効である。
【００３３】
本発明は、実施の形態で説明した構成に限定されず、種々の変更、追加、削除が可能である。
ウェットティッシュを積み重ねる場合について説明したが、本明細書に開示されている技術は、種々のシートを積み重ねる場合に適用することができる。
シート積み重ね体を構成するシート体の形状は、シート積み重ね体の一方側の端部に積み重ねられているートを順次連続して取り出すことができる種々の形状を用いることができる。
また、積み重ね方向に隣接するシート体の補助片（例えば、第１のシート体の補助片と第２のシート体の補助片）が積み重ね方向に重ならないように構成することによってもシート積み重ね体が部分的に嵩高になるのを防止することができる。
実施の形態で説明した各構成は単独で用いることもできるし、適宜選択した複数を組み合わせて用いることもできる。
【図面の簡単な説明】
【００３４】
【図１】第１の実施の形態のシート積み重ね体を構成する第１のシート体を示す図である。
【図２】第１の実施の形態のシート積み重ね体を構成する第２のシート体を示す図である。
【図３】第１の実施の形態のシート積み重ね体の１例を、第１のシート体および第２のシート体の折り返し線に直角な方向（シート積み重ね体の幅方向）から見た図である。
【図４】第１の実施の形態のシート積み重ね体の他の例を、第１のシート体および第２のシート体の折り返し線に直角な方向（シート積み重ね体の幅方向）から見た図である。
【図５】第１の実施の形態のシート積み重ね体の１例をケースに収容したシート収容装置を示す図である。
【図６】第２の実施の形態のシート積み重ね体を構成する第１のシート体と第２のシート体および第２の実施の形態のシート積み重ね体をケースに収容したシート収容装置を示す図である。
【図７】第３の実施の形態のシート積み重ね体を構成する第１のシート体と第２のシート体および第３の実施の形態のシート積み重ね体をケースに収容したシート収容装置を示す図である。
【図８】第４の実施の形態のシート積み重ね体を構成する第１のシート体と第２のシート体および第４の実施の形態のシート積み重ね体をケースに収容したシート収容装置を示す図である。
【図９】第５の実施の形態のシート積み重ね体を構成するシート体および第５の実施の形態のシート積み重ね体をケースに収容したシート収容装置を示す図である。
【図１０】第６の実施の形態のシート積み重ね体を構成するシート体および第６の実施の形態のシート積み重ね体をケースに収容したシート収容装置を示す図である。
【符号の説明】
【００３５】
１０  ウェットテッィシュ（シート）
１３０、１３０Ａ、１３０Ｂ、２３０Ａ、２３０Ｂ、３３０Ａ、３３０Ｂ、４３０Ａ、４３０Ｂ  第１のシート体
１４０、１４０Ａ、１４０Ｂ、２４０Ａ、２４０Ｂ、３４０Ａ、３４０Ｂ、４４０Ａ、４４０Ｂ  第２のシート体
１３０ａ、１３０ｄ、１３０ａＡ、１３０ｄＡ、１３０ａＢ、１３０ｄＢ、１４０ａ、１４０ｃ、１４０ａＡ、１４０ｃＡ、１４０ａＢ、１４０ｃＢ、２３０ａ、２３０ｄ、２３０ａＡ、２３０ｄＡ、２３０ａＢ、２３０ｄＢ、２４０ａ、２４０ｃ、２４０ａＡ、２４０ｃＡ、２４０ａＢ、２４０ｃＢ、３３０ａ、３３０ｄ、３３０ａＡ、３３０ｄＡ、３３０ａＢ、３３０ｄＢ、３４０ａ、３４０ｃ、３４０ａＡ、３４０ｃＡ、３４０ａＢ、３４０ｃＢ、４３０ａ、４３０ｄ、４３０ａＡ、４３０ｄＡ、４３０ａＢ、４３０ｄＢ、４４０ａ、４４０ｃ、４４０ａＡ、４４０ｃＡ、４４０ａＢ、４４０ｃＢ  端部
１３０ｂ、１３０ｃ、１３０ｅ、１３０ｂＡ、１３０ｃＡ、１３０ｅＡ、１３０ｂＢ、１３０ｃＢ、１３０ｅＢ、１４０ｂ、１４０ｅ、１４０ｂＡ、１４０ｅＡ、１４０ｂＢ、１４０ｅＢ、２３０ｂ、２３０ｃ、２３０ｅ、２３０ｂＡ、２３０ｃＡ、２３０ｅＡ、２３０ｂＢ、２３０ｃＢ、２３０ｅＢ、２４０ｂ、２４０ｅ、２４０ｂＡ、２４０ｅＡ、２４０ｂＢ、２４０ｅＢ、３３０ｂ、３３０ｃ、３３０ｅ、３３０ｂＡ、３３０ｃＡ、３３０ｅＡ、３３０ｂＢ、３３０ｃＢ、３３０ｅＢ、３４０ｂ、３４０ｅ、３４０ｂＡ、３４０ｅＡ、３４０ｂＢ、３４０ｅＢ、４３０ｂ、４３０ｃ、４３０ｅ、４３０ｂＡ、４３０ｃＡ、４３０ｅＡ、４３０ｂＢ、４３０ｃＢ、４３０ｅＢ、４４０ｂ、４４０ｅ、４４０ｂＡ、４４０ｅＡ、４４０ｂＢ、４４０ｅＢ、５３０ｂ、５３０ｃ、５３０ｅ、６３０ｂ、６３０ｃ、６３０ｅ  折り返し線
１１０、２１０、３１０、４１０、５１０、６１０  シート収容装置
１１１、２１１、３１１、４１１、５１１、６１１  ケース
１１２、２１２、３１２、４１２、５１２、６１２  取り出し口
５３０、６３０  シート体
ｍ  シートの幅
Ｌ  シート積み重ね体の幅
【図１】
0005143612.tif 000002
【図２】
0005143612.tif 000003
【図３】
0005143612.tif 000004
【図４】
0005143612.tif 000005
【図５】
0005143612.tif 000006
【図６】
0005143612.tif 000007
【図７】
0005143612.tif 000008
【図８】
0005143612.tif 000009
【図９】
0005143612.tif 000010
【図１０】
0005143612.tif 000011